(57)【要約】【課題】論理番号を用いた接続サービスにおける新サービスの導入や料金徴収の方式変更等を容易にする。【解決手段】ＩＰ網の網内ＡＳ１０から論理番号に対する物理番号の問い合わせに応じる網外ＡＳ６０をサービス事業者網に設置する。加入者サーバ２０は、着端末の論理番号を含む発信を受信すると、この着端末の物理番号を、網内ＡＳ１０に問い合わせる。問い合わせを受けた網内ＡＳ１０は、受信した信号をプロトコル変換して網外ＡＳ６０に物理番号の問い合わせを行い、その結果をプロトコル変換して加入者サーバ２０に返す。また、サービス提供に伴う課金情報をサービス料計算装置７０へ送信する。網内ＡＳ１０はＩＰ網内の通話料をカウントし、通話料計算装置５０経由で、サービス料計算装置７０へ送信する。サービス料計算装置７０は、受信した課金情報と通話料とに基づき、端末８０の契約者への課金を計算する。【選択図】図２
2011109187.tif 000002
【特許請求の範囲】
【請求項１】
外部装置から着信先の端末の論理番号を含むINVITEメッセージを受信したとき、このINVITEメッセージに含まれる論理番号に基づき着信先の端末の物理番号を特定し、この物理番号の端末への接続処理を行う１以上の加入者サーバを備えるＩＰ網と、接続された端末それぞれへ各種サービスの提供を行うサービス事業者網とを備える接続システムであって、
前記サービス事業者網は、
（１）前記論理番号ごとに、その論理番号に対応する着信先の端末の物理番号を示した論理番号情報と、前記端末ごとに、その端末の契約者の物理番号および、前記サービス事業者によるサービス料を計算するための契約内容を示した契約者情報とを記憶する記憶部と、（２）前記ＩＰ網の網内アプリケーションサーバから、前記論理番号を含む発信信号を受信したとき、前記論理番号情報を参照して、その論理番号に対応する物理番号を前記網内アプリケーションサーバへ送信する物理番号変換部と、（３）前記網内アプリケーションサーバから、前記端末間の終話信号を受信したとき、前記端末間の接続処理のサービス料を算出するための課金情報を、前記契約者情報を参照して作成し、サービス料計算手段へ送信する課金情報収集部とを備える網外アプリケーションサーバと、
前記網内アプリケーションサーバの通話料情報収集部から送信された通話料情報と、前記課金情報収集部から送信された課金情報とを用いて前記端末の契約者それぞれのサービス料を計算するサービス料計算手段とを備え、
前記ＩＰ網は、
（１）前記端末間の接続時間に応じて、前記端末間の通話料を示す前記通話料情報を作成し、前記サービス料計算手段へ送信する前記通話料情報収集部と、（２）前記加入者サーバから、前記論理番号を含むINVITEメッセージを受信したとき、前記受信したINVITEメッセージを、前記網外アプリケーションサーバで処理可能な電気信号に変換した前記物理番号の問い合わせメッセージを作成し、前記物理番号の問い合わせメッセージを前記網外アプリケーションサーバへ送信し、この網外アプリケーションサーバから、前記問い合わせメッセージの応答として、前記物理番号を含む信号を受信すると、前記物理番号を含むINVITEメッセージを作成する物理番号変換部と、（３）前記作成したINVITEメッセージを、前記加入者サーバへ送信した後、前記加入者サーバから、前記端末間の終話信号を受信したとき、この終話信号を前記網外アプリケーションサーバへ送信する接続処理部とを備える網内アプリケーションサーバと、
前記網外アプリケーションサーバ経由で受信したINVITEメッセージを用いて、前記端末間の接続処理を行い、前記接続処理後、前記端末間の通話が終了したことを検知すると、前記網外アプリケーションサーバへ終話信号を送信する前記加入者サーバとを備えることを特徴とする接続システム。
【請求項２】
前記加入者サーバは、
当該着信先の端末への通話料の負担先が当該着信先の端末である着信課金端末の論理番号と、その論理番号のINVITEメッセージを受信したとき、このINVITEメッセージを前記網内アプリケーションサーバへ送信すべきこととを示したｉＦＣを記憶する記憶部と、
前記論理番号を含むINVITEメッセージを受信したとき、前記ｉＦＣを参照して、前記INVITEメッセージを前記網内アプリケーションサーバへ送信する接続処理部とを備え、
前記契約者情報は、
前記着信課金端末の物理番号と、前記着信課金端末への通話料を、前記着信課金端末の契約者に課金する旨の情報とを示した情報であることを特徴とする請求項１に記載の接続システム。
【請求項３】
前記加入者サーバは、
当該着信先の端末への通話料が所定の通話料である着信先の端末の論理番号と、その論理番号のINVITEメッセージを受信したとき、このINVITEメッセージを前記網内アプリケーションサーバへ送信すべきことを示したｉＦＣを記憶する記憶部と、
前記論理番号を含むINVITEメッセージを受信したとき、前記ｉＦＣを参照して、前記INVITEメッセージを前記網内アプリケーションサーバへ送信する接続処理部とを備え、
前記契約者情報は、
前記所定の通話料による接続を行う着信先の端末の物理番号と、前記着信先の端末への通話料を、発信元の端末の契約者および前記着信先の端末の契約者に課金する旨の情報とを示した情報であり、
前記サービス事業者網は、
前記加入者サーバが、前記発信元の端末と、前記所定の通話料による接続を行う前記着信先の端末とを接続する前に、前記発信元の端末へ、前記所定の通話料を示す事前料金ガイダンスを送信するメッセージサーバをさらに備えることを特徴とする請求項１に記載の接続システム。
【請求項４】
外部装置から着信先の端末の論理番号を含むINVITEメッセージを受信したとき、このINVITEメッセージに含まれる論理番号に基づき着信先の端末の物理番号を特定し、この物理番号の端末への接続処理を行う１以上の加入者サーバを備えるＩＰ網と、接続された端末それぞれへ各種サービスの提供を行うサービス事業者網とを備える接続システムにおける接続方法であって、
前記ＩＰ網に設置される網内アプリケーションサーバが、
前記加入者サーバから、前記論理番号を含むINVITEメッセージを受信したとき、前記受信したINVITEメッセージを、前記網外アプリケーションサーバで処理可能な電気信号に変換した前記物理番号の問い合わせメッセージを作成し、前記物理番号の問い合わせメッセージを前記網外アプリケーションサーバへ送信するステップを実行し、
前記サービス事業者網に設置され、前記論理番号ごとに、その論理番号に対応する着信先の端末の物理番号を示した論理番号情報と、前記端末ごとに、その端末の契約者の物理番号および前記サービス事業者によるサービス料を計算するための契約内容を示した契約者情報とを記憶する記憶部を備える前記網外アプリケーションサーバが、
前記論理番号を含む発信信号を受信するステップと、
前記論理番号情報を参照して、その論理番号に対応する物理番号を前記網内アプリケーションサーバへ送信するステップとを実行し、
前記網内アプリケーションサーバが、
前記問い合わせメッセージの応答として、前記物理番号を含む信号を受信するステップと、
前記物理番号を含むINVITEメッセージを作成し、前記加入者サーバへ送信するステップと、
前記加入者サーバから、前記端末間の終話信号を受信したとき、この終話信号を網外アプリケーションサーバへ送信するステップと、
前記端末間の接続時間に応じて、前記端末間の通話料を示す通話料情報を作成し、サービス料計算手段へ送信するステップとを実行し、
前記網外アプリケーションサーバが、
前記端末間の終話信号を受信したとき、前記端末間の接続処理のサービス料を算出するための課金情報を、前記契約者情報を参照して作成し、前記サービス料計算手段へ送信するステップを実行し、
前記サービス料計算手段が、
前記網外アプリケーションサーバから送信された通話料情報と、前記網内アプリケーションサーバから送信された課金情報とを用いて前記端末の契約者それぞれのサービス料を計算するステップを実行することを特徴とする接続方法。
【請求項５】
前記契約者情報は、
前記着信課金端末の物理番号と、前記着信課金端末への通話料を、前記着信課金端末の契約者に課金する旨の情報とを示した情報であり、
前記加入者サーバは、
当該着信先の端末への通話料の負担先が当該着信先の端末である着信課金端末の論理番号と、その論理番号のINVITEメッセージを受信したとき、このINVITEメッセージを前記網内アプリケーションサーバへ送信すべきこととを示したｉＦＣを参照して、前記論理番号を含むINVITEメッセージを受信したとき、前記INVITEメッセージを前記網内アプリケーションサーバへ送信するステップを実行することを特徴とする請求項４に記載の接続方法。
【請求項６】
前記契約者情報は、
前記所定の通話料による接続を行う着信先の端末の物理番号と、前記着信先の端末への通話料を、発信元の端末の契約者および当該着信先の端末の契約者に課金する旨の情報とを示した情報であり、
前記加入者サーバが、
当該着信先の端末への通話料が所定の通話料である着信先の端末の論理番号と、その論理番号のINVITEメッセージを受信したとき、このINVITEメッセージを前記網内アプリケーションサーバへ送信すべきことを示したｉＦＣを参照して、前記論理番号を含むINVITEメッセージを受信したとき、前記ｉＦＣを参照して、前記INVITEメッセージを前記網内アプリケーションサーバへ送信するステップを実行し、
前記加入者サーバが、前記発信元の端末と、前記所定の通話料による接続を行う前記着信先の端末とを接続する前に、
前記サービス事業者網のメッセージサーバが、
前記発信元の端末へ、前記所定の通話料を示す事前料金ガイダンスを送信するステップを実行することを特徴とする請求項４に記載の接続方法。
【請求項７】
外部装置から着信先の端末の論理番号を含むINVITEメッセージを受信したとき、このINVITEメッセージに含まれる論理番号に基づき着信先の端末の物理番号を特定し、この物理番号の端末への接続処理を行う１以上の加入者サーバを備えるＩＰ網を備える接続システムにおける接続方法であって、
前記ＩＰ網に設置される網内アプリケーションサーバが、
前記加入者サーバから、前記論理番号を含むINVITEメッセージを受信したとき、前記論理番号ごとに、その論理番号に対応する着信先の端末の物理番号を示した論理番号情報を参照して、その論理番号に対応する物理番号を特定するステップと、
前記特定した物理番号を含むINVITEメッセージを作成し、当該加入者サーバへ送信するステップと、
当該加入者サーバから、前記端末間の終話信号を受信したとき、前記端末間の接続時間に応じて、前記端末間の通話料を示す通話料情報を作成し、サービス料計算手段へ送信するステップとを実行し、
前記サービス料計算手段が、
前記網内アプリケーションサーバから送信された通話料情報を用いて前記端末の契約者それぞれのサービス料を計算するステップを実行することを特徴とする接続方法。
【発明の詳細な説明】
【技術分野】
【０００１】
本発明は、論理番号により呼を接続し、接続に伴う料金を着信者、発信者あるいは着信者と発信者の両方が負担するサービスを提供する論理番号接続システムに関する。
【背景技術】
【０００２】
従来、通信事業者が提供する通常の電話接続サービスでは、発端末と着端末とを接続すると、その料金は、発端末の契約者に請求される仕組みになっている。これに対し、料金の請求先を発端末の契約者としないサービス（例えば、フリーダイヤルサービス等）も提供されている。フリーダイヤルサービスは、交換機が、発端末から、例えば、「0120」で始まる着信ダイヤル番号の発信を受け付けたとき、「0120」で始まるダイヤル番号（論理番号）に対応付けられたダイヤル番号の着端末に接続し、着端末の契約者に料金を課金するサービスである。
【０００３】
このようなサービスの提供には、着信ダイヤル番号として「0120」で始まる番号等、実際のダイヤル番号とは別の論理番号を用いることが多い。そして、交換機は、この論理番号の着信ダイヤル番号を受け付けたとき、その論理番号により、発端末（および着端末）に対し、どのようなサービス（課金）を提供すればよいかを判断する。このような論理番号を用いた論理番号接続システム（システム）の例を、図８に示す。ここでは、システムがフリーダイヤルサービス（着信課金サービス）を提供する場合を例に説明する。
【０００４】
システムは、中継交換機と、加入者交換機１，２と、端末と、網サービス制御局と、通話料計算装置とを有する。この加入者交換機は、中継交換機に接続される。また、網サービス制御局、通話料計算装置および端末は加入者交換機１，２に接続される。さらに、端末は加入者交換機に接続される。中継交換機は、加入者交換機同士を接続する交換機である。
【０００５】
システムの動作を説明する。まず、加入者交換機１が端末（発端末）から着信番号を受信し（１）、この着信番号がフリーダイヤル番号であると判断すると、網サービス制御局に、このフリーダイヤル番号（論理番号）に対応する物理番号を問い合わせる（２）。
【０００６】
この問い合わせを受信した網サービス制御局がフリーダイヤル番号（論理番号）を物理番号に変換すると、この変換した物理番号を加入者交換機１へ送信する（３）。そして、加入者交換機１は、この物理番号を中継交換機に送信し（４）、中継交換機は、この物理番号を加入者交換機２へ送信する（５）。加入者交換機２は、この物理番号を受信し、端末（着端末）に呼び出し信号を送信する（６）。端末（着端末）が応答すると端末（発端末）との間で通話が始まる。フリーダイヤルの呼が終話したことにより加入者交換機１が課金データを収集し、集計したデータを通話料計算装置に送信し（７）、通話料計算装置が契約者ごとの料金を算出し請求する（８）。これにより、論理番号により発端末からの呼を着端末に接続し、料金を着端末の契約者が負担することが可能になる（例えば、非特許文献１参照）。
【先行技術文献】
【非特許文献】
【０００７】
【非特許文献１】飯塚久夫、石川秀樹、「続・やさしい共通線信号方式」、オーム社、1992年12月
【発明の概要】
【発明が解決しようとする課題】
【０００８】
しかし、従来のシステムは、加入者交換機が個々のサービス仕様を認識したうえでサービス制御を行い、課金データの収集や集計も行わなければならない。また、網サービス制御局は、加入者交換機と直接つながっており、サービス事業者が新サービスの導入を行う場合には、加入者交換機の仕様を充分理解している必要があるため、新サービスの導入や料金徴収の方式変更等を行いにくいという問題がある。そこで、本発明は、前記した問題を解決し、接続サービスにおける新サービスの導入や料金徴収の方式変更等を容易にすることを目的とする。
【課題を解決するための手段】
【０００９】
前記した課題を解決するため、請求項１に記載の発明は、外部装置から着信先の端末の論理番号を含むINVITEメッセージを受信したとき、このINVITEメッセージに含まれる論理番号に基づき着信先の端末の物理番号を特定し、この物理番号の端末への接続処理を行う１以上の加入者サーバを備えるＩＰ網と、接続された端末それぞれへ各種サービスの提供を行うサービス事業者網とを備える接続システムであって、サービス事業者網は、（１）論理番号ごとに、その論理番号に対応する着信先の端末の物理番号を示した論理番号情報と、端末ごとに、その端末の契約者の物理番号および、サービス事業者によるサービス料を計算するための契約内容を示した契約者情報とを記憶する記憶部と、（２）ＩＰ網の網内アプリケーションサーバから、論理番号を含む発信信号を受信したとき、論理番号情報を参照して、その論理番号に対応する物理番号を網内アプリケーションサーバへ送信する物理番号変換部と、（３）網内アプリケーションサーバから、端末間の終話信号を受信したとき、端末間の接続処理のサービス料を算出するための課金情報を、契約者情報を参照して作成し、サービス料計算手段へ送信する課金情報収集部とを備える網外アプリケーションサーバと、網内アプリケーションサーバの通話料情報収集部から送信された通話料情報と、課金情報収集部から送信された課金情報とを用いて端末の契約者それぞれのサービス料を計算するサービス料計算手段とを備え、ＩＰ網は、（１）端末間の接続時間に応じて、端末間の通話料を示す通話料情報を作成し、サービス料計算手段へ送信する通話料情報収集部と、（２）加入者サーバから、論理番号を含むINVITEメッセージを受信したとき、受信したINVITEメッセージを、網外アプリケーションサーバで処理可能な電気信号に変換した物理番号の問い合わせメッセージを作成し、物理番号の問い合わせメッセージを網外アプリケーションサーバへ送信し、この網外アプリケーションサーバから、問い合わせメッセージの応答として、物理番号を含む信号を受信すると、物理番号を含むINVITEメッセージを作成する物理番号変換部と、（３）作成したINVITEメッセージを、加入者サーバへ送信した後、加入者サーバから、端末間の終話信号を受信したとき、この終話信号を網外アプリケーションサーバへ送信する接続処理部とを備える網内アプリケーションサーバと、網外アプリケーションサーバ経由で受信したINVITEメッセージを用いて、端末間の接続処理を行い、接続処理後、端末間の通話が終了したことを検知すると、網外アプリケーションサーバへ終話信号を送信する加入者サーバとを備えることを特徴とする接続システムとした。
【００１０】
請求項４に記載の発明は、外部装置から着信先の端末の論理番号を含むINVITEメッセージを受信したとき、このINVITEメッセージに含まれる論理番号に基づき着信先の端末の物理番号を特定し、この物理番号の端末への接続処理を行う１以上の加入者サーバを備えるＩＰ網と、接続された端末それぞれへ各種サービスの提供を行うサービス事業者網とを備える接続システムにおける接続方法であって、ＩＰ網に設置される網内アプリケーションサーバが、加入者サーバから、論理番号を含むINVITEメッセージを受信したとき、受信したINVITEメッセージを、網外アプリケーションサーバで処理可能な電気信号に変換した物理番号の問い合わせメッセージを作成し、物理番号の問い合わせメッセージを網外アプリケーションサーバへ送信するステップを実行し、サービス事業者網に設置され、論理番号ごとに、その論理番号に対応する着信先の端末の物理番号を示した論理番号情報と、端末ごとに、その端末の契約者の物理番号およびサービス事業者によるサービス料を計算するための契約内容を示した契約者情報とを記憶する記憶部を備える網外アプリケーションサーバが、論理番号を含む発信信号を受信するステップと、論理番号情報を参照して、その論理番号に対応する物理番号を網内アプリケーションサーバへ送信するステップとを実行し、網内アプリケーションサーバが、問い合わせメッセージの応答として、物理番号を含む信号を受信するステップと、物理番号を含むINVITEメッセージを作成し、加入者サーバへ送信するステップと、加入者サーバから、端末間の終話信号を受信したとき、この終話信号を網外アプリケーションサーバへ送信するステップと、端末間の接続時間に応じて、端末間の通話料を示す通話料情報を作成し、サービス料計算手段へ送信するステップとを実行し、網外アプリケーションサーバが、端末間の終話信号を受信したとき、端末間の接続処理のサービス料を算出するための課金情報を、契約者情報を参照して作成し、サービス料計算手段へ送信するステップを実行し、サービス料計算手段が、網外アプリケーションサーバから送信された通話料情報と、網内アプリケーションサーバから送信された課金情報とを用いて端末の契約者それぞれのサービス料を計算するステップを実行することを特徴とする接続方法とした。
【００１１】
このようにすることで、システムは、論理番号の着信番号の接続処理を行ったとき、どのような課金するかを示した契約者情報を網外ＡＳ（アプリケーションサーバ）に設定しておけば、この契約者情報に基づく課金処理を行うことができる。つまり、網内ＡＳは、論理番号を含むINVITEメッセージを受信すると、このINVITEメッセージを網外ＡＳで処理可能な電気信号に変換して、この網外ＡＳへ論理番号に対応する物理番号の問い合わせを行う。そして、網外ＡＳからこの問い合わせ結果を得ると、この問い合わせ結果に示される物理番号の端末への接続処理を加入者サーバへ指示する。また、網外ＡＳは、網内ＡＳから収集した通話料情報を収集し、契約者情報に示される契約内容に基づき、端末の契約者それぞれの課金情報を計算する。つまり、サービス事業者は、接続サービスに対し、様々な契約内容の課金を行うことができる。
【００１２】
請求項２に記載の発明は、請求項１に記載の接続システムにおける加入者サーバが、当該着信先の端末への通話料の負担先が当該着信先の端末である着信課金端末の論理番号と、その論理番号のINVITEメッセージを受信したとき、このINVITEメッセージを網内アプリケーションサーバへ送信すべきこととを示したｉＦＣを記憶する記憶部と、論理番号を含むINVITEメッセージを受信したとき、ｉＦＣを参照して、INVITEメッセージを網内アプリケーションサーバへ送信する接続処理部とを備え、契約者情報は、着信課金端末の物理番号と、着信課金端末への通話料を、着信課金端末の契約者に課金する旨の情報とを示した情報であることを特徴とする。
【００１３】
請求項５に記載の発明は、請求項４に記載の接続方法における契約者情報が、着信課金端末の物理番号と、着信課金端末への通話料を、着信課金端末の契約者に課金する旨の情報とを示した情報であり、加入者サーバは、当該着信先の端末への通話料の負担先が当該着信先の端末である着信課金端末の論理番号と、その論理番号のINVITEメッセージを受信したとき、このINVITEメッセージを網内アプリケーションサーバへ送信すべきこととを示したｉＦＣを参照して、論理番号を含むINVITEメッセージを受信したとき、INVITEメッセージを網内アプリケーションサーバへ送信するステップを実行することを特徴とする。
【００１４】
このようにすることで、接続システムの網外ＡＳにより着信課金サービスを提供できる。
【００１５】
請求項３に記載の発明は、請求項１に記載の接続システムにおける加入者サーバが、当該着信先の端末への通話料が所定の通話料である着信先の端末の論理番号と、その論理番号のINVITEメッセージを受信したとき、このINVITEメッセージを網内アプリケーションサーバへ送信すべきことを示したｉＦＣを記憶する記憶部と、論理番号を含むINVITEメッセージを受信したとき、ｉＦＣを参照して、INVITEメッセージを網内アプリケーションサーバへ送信する接続処理部とを備え、契約者情報は、所定の通話料による接続を行う着信先の端末の物理番号と、着信先の端末への通話料を、発信元の端末の契約者および当該着信先の端末の契約者に課金する旨の情報とを示した情報であり、サービス事業者網は、加入者サーバが、発信元の端末と、所定の通話料による接続を行う着信先の端末とを接続する前に、発信元の端末へ、所定の通話料を示す事前料金ガイダンスを送信するメッセージサーバをさらに備えることを特徴とする。
【００１６】
請求項６に記載の発明は、請求項４に記載の接続方法における契約者情報が、所定の通話料による接続を行う着信先の端末の物理番号と、着信先の端末への通話料を、発信元の端末の契約者および当該着信先の端末の契約者に課金する旨の情報とを示した情報であり、加入者サーバは、当該着信先の端末への通話料が所定の通話料である着信先の端末の論理番号と、その論理番号のINVITEメッセージを受信したとき、このINVITEメッセージを網内アプリケーションサーバへ送信すべきことを示したｉＦＣを参照して、論理番号を含むINVITEメッセージを受信したとき、ｉＦＣを参照して、INVITEメッセージを網内アプリケーションサーバへ送信するステップを実行し、加入者サーバが、発信元の端末と、所定の通話料による接続を行う着信先の端末とを接続する前に、サービス事業者網のメッセージサーバが、発信元の端末へ、所定の通話料を示す事前料金ガイダンスを送信するステップを実行することを特徴とする。
【００１７】
このようにすることで、接続システムは、いわゆるナビダイヤルサービスを提供できる。
【００１８】
請求項７に記載の発明は、外部装置から着信先の端末の論理番号を含むINVITEメッセージを受信したとき、このINVITEメッセージに含まれる論理番号に基づき着信先の端末の物理番号を特定し、この物理番号の端末への接続処理を行う１以上の加入者サーバを備えるＩＰ網を備える接続システムにおける接続方法であって、ＩＰ網に設置される網内アプリケーションサーバが、加入者サーバから、論理番号を含むINVITEメッセージを受信したとき、論理番号ごとに、その論理番号に対応する着信先の端末の物理番号を示した論理番号情報を参照して、その論理番号に対応する物理番号を特定するステップと、特定した物理番号を含むINVITEメッセージを作成し、当該加入者サーバへ送信するステップと、当該加入者サーバから、端末間の終話信号を受信したとき、端末間の接続時間に応じて、端末間の通話料を示す通話料情報を作成し、サービス料計算手段へ送信するステップとを実行し、サービス料計算手段が、網内アプリケーションサーバから送信された通話料情報を用いて端末の契約者それぞれのサービス料を計算するステップを実行することを特徴とする。
【００１９】
このようにすることで、接続システムは、ＩＰ網内の網内ＡＳにより着信課金サービスを提供できる。
【発明の効果】
【００２０】
本発明によれば、接続サービスにおける新サービスの導入や料金徴収の方式変更等を容易なものとすることができる。
【図面の簡単な説明】
【００２１】
【図１】本実施の形態のシステムの構成例を示した図である。
【図２】本実施の形態の網外ＡＳ、網内ＡＳおよび加入者サーバの構成例を示した図である。
【図３】本実施の形態のシステムの処理手順例を示した図である。
【図４】本実施の形態のシステムの処理手順例を示した図である。
【図５】本実施の形態のシステムの処理手順例を示した図である。
【図６】本実施の形態のシステムの処理手順例を示した図である。
【図７】本実施の形態のシステムの処理手順例を示した図である。
【図８】従来のシステムの構成例を示した図である。
【発明を実施するための形態】
【００２２】
＜第１の実施の形態＞
以下、本発明を実施するための形態（以下、実施の形態という）について説明する。まず、図１を用いて、本実施の形態のシステム構成例と、処理概要を説明する。
【００２３】
本システムは、端末（発端末）８０Ａから端末（着端末）８０Ｂの論理番号の発信を受け付けると、この論理番号の端末８０へ接続し、この接続に要した料金を端末８０Ａ、または端末８０Ａ，８０Ｂの両方に請求する。
【００２４】
このシステムは、ＩＰ網とサービス事業者網とを備える。ＩＰ網は、網内アプリケーションサーバ（ＡＳ）１０と、加入者サーバ２０（２０Ａ，２０Ｂ）と、中継サーバ３０と、ＩＰ変換装置４０（４０Ａ，４０Ｂ）と、通話料計算装置５０とを備える。このＩＰ網には、電話機等の端末８０（８０Ａ，８０Ｂ）の他に、ＮＧＮ（Next Generation Network）端末８１（８１Ａ，８１Ｂ）が接続されていてもよい。なお、この端末８０は、ＩＰ変換装置４０経由で加入者サーバ２０に接続され、ＮＧＮ端末８１（８１Ａ，８１Ｂ）は、加入者サーバ２０に直接接続される。なお、このシステムは、図１に示すように加入者交換機9０（９０Ａ，９０Ｂ）を有するＰＳＴＮ（公衆回線網）を含んでいてもよい。
【００２５】
中継サーバ３０は、加入者サーバ２０間を中継する装置である。加入者サーバ２０は、ＩＰ変換装置４０やＮＧＮ端末８１からの発信（INVITEメッセージ）を受け付けると、他の端末との接続制御を行う。また、この加入者サーバ２０は、ｉＦＣ（initial Filter Criteria）（後記）を参照して、所定の着信番号（例えば、０１２０で始まる番号）のＳＩＰ（Session Initiation Protocol）のINVITEメッセージを受け付けたときは、このINVITEメッセージを網内ＡＳ１０へ送信する。
【００２６】
ＩＰ変換装置４０は、メタル回線による端末８０を収容し、端末８０とＩＰ網との間でプロトコル変換等を行う装置である。
【００２７】
端末８０は、インタフェースがメタル回線である端末であり、ダイヤル番号送出を行う。また、ＮＧＮ端末８１は、インタフェースが光回線である端末であり、INVITEメッセージの送信を行う。
【００２８】
網内ＡＳ１０は、加入者サーバ２０からINVITEメッセージを受信すると、所定の着信番号のINVITEメッセージについて、プロトコル変換を行い網外ＡＳ６０で処理可能な制御要求（電気信号）を生成し、この制御要求を送信する。なお、破線で示す網内ＭＳ１２０については、後記する実施の形態の項で述べる。
【００２９】
通話料計算装置５０は、通信事業者のポリシにそって端末間の通話料を計算し、サービス事業者のサービス料計算装置７０等へ送信する。
【００３０】
次に、サービス事業者網の構成を説明する。サービス事業者網は、サービス料計算装置７０と、網外ＡＳ６０とを備える。このサービス料計算装置７０は、網外ＡＳ６０および通話料計算装置５０から受信した通話料をもとに、サービス事業者のポリシにそって、端末８０のユーザに請求する料金を計算する。網外ＡＳ６０は、網内ＡＳ１０からの制御要求（論理番号に対する物理番号の問い合わせ）に対し、物理番号を返したり、このサービス事業者により提供されるサービス料の課金情報を作成して、サービス料計算装置７０へ送信したりする。
【００３１】
本システムの動作について、フリーダイヤルサービス（着端末が料金を負担するサービス）を提供する場合を例に、図１を用いて説明する。
【００３２】
端末８０Ａ（発端末）がフリーダイヤル番号（０１２０から始まる論理番号）への発信信号を送信すると（１）、ＩＰ変換装置４０は、この発信信号をINVITEメッセージに変換し、加入者サーバ２０へ送信する（２）。
【００３３】
加入者サーバ２０は、受信したINVITEメッセージに含まれる論理番号をもとにｉＦＣ（後記）を参照し、アクセス先が網内ＡＳ１０であると判断すると、このINVITEメッセージを網内ＡＳ１０へ送信する（３）。網内ＡＳ１０は、受信したINVITEメッセージに含まれる番号がフリーダイヤル番号（論理番号）であることから、このINVITEメッセージを網外ＡＳ６０へ送信する（４）。網外ＡＳ６０は、このINVITEメッセージを受信すると、フリーダイヤル番号（論理番号）を物理番号に変換し、変換した物理番号を網内ＡＳ１０へ送信する（５）。そして、網内ＡＳ１０が、変換した物理番号のINVITEメッセージを加入者サーバ２０Ａへ送信する（６）。次に、加入者サーバ２０Ａは、この物理番号のINVITEメッセージを、中継サーバ３０へ送信する（７）。中継サーバ３０は、このINVITEメッセージを加入者サーバ２０Ｂに送信し（８）、加入者サーバ２０Ｂは、このINVITEメッセージを、ＩＰ変換装置４０Ｂへ送信する（９）。その後、ＩＰ変換装置４０Ｂは、このINVITEメッセージを変換し、端末８０Ｂ（着端末）に呼び出し信号を送信する（１０）。そして、端末８０Ｂ（着端末）が応答すると端末８０Ａ（発端末）との間で通話が始まる。
【００３４】
その後、通話の終了により、端末８０Ａがオンフックすると（１１）、ＩＰ変換装置４０Ａは、加入者サーバ２０Ａに終話信号を送信する（１２）。加入者サーバ２０Ａが、この終話信号を受信し、この終話信号が、網内ＡＳ１０を使った呼であることから網内ＡＳ１０に終話信号を送信する（１３）。
【００３５】
この終話信号を網内ＡＳ１０が受信すると、加入者サーバ２０Ａに終話信号を送信する（１４）。加入者サーバ２０Ａは、この終話信号を、中継サーバ３０に送信し（１５）、中継サーバ３０は、この終話信号を、加入者サーバ２０Ｂに送信し（１６）、加入者サーバ２０ＢがＩＰ変換装置４０Ｂに終話信号を送信し（１７）、ＩＰ変換装置４０Ｂが、端末８０Ｂに終話を通知する音を送信する（１８）。
【００３６】
ここで、網内ＡＳ１０はフリーダイヤルサービスの呼が終話したことを知ると、終話したことを網外ＡＳ６０へ送信し（１９）、網外ＡＳ６０がフリーダイヤルサービスの料金を算出するための課金情報を収集し、この課金情報をサービス事業者網のサービス料計算装置７０へ送信する（２０）。
【００３７】
また、網内ＡＳ１０においても、フリーダイヤルサービスの呼が終話したことにより通話料を計算するための課金情報を収集し、集計した課金情報をＩＰ網の通話料計算装置５０へ送信する（２１）。通話料計算装置５０は、この課金情報をもとに、サービス事業者に請求する通話料を計算し、この計算結果をサービス料計算装置７０へ送信する（２２）。
【００３８】
これにより、サービス事業者網のサービス料計算装置７０は、網外ＡＳ６０からの課金情報およびＩＰ網の網外ＡＳ１０からの通話料情報にもとづき契約者毎のサービス料を算出し、その結果であるサービス料情報を契約者の端末８０Ｂへ送信する（２３）。
【００３９】
つまり、サービス事業者は、所望するサービスの内容（変換すべき論理番号等）や、サービス料の計算方式等をサービス事業者網の網外ＡＳ６０に設定すればよいので、サービス内容やサービス料の計算方式等をサービス事業者の所望するものに変更しやすくなる。
【００４０】
また、網内ＡＳ１０は、網外ＡＳ６０との間でデータをやりとりするとき、プロトコル変換（ＩＰ→サービス事業者網で用いるプロトコル、サービス事業者網で用いるプロトコル→ＩＰ）を行う。よって、網外ＡＳ６０が加入者サーバ２０のプロトコルを把握していなくても新サービスの導入等を行いやすくなる。また、加入者サーバ２０も、論理番号を用いた接続制御を、網内ＡＳ１０から送られてくる信号に応じて行えばよくなり、さらに、課金情報の収集も網内ＡＳ１０および網外ＡＳ６０が行う。よって、従来、加入者サーバ２０で行っていた料金の計算等の処理負担が軽くなり、加入者サーバ２０の能力を接続処理のために使えるようになるとともに、新サービスの導入により受ける影響を少なくできる。
【００４１】
次に、図２を用いて、図１の網外ＡＳ６０、網内ＡＳ１０および加入者サーバ２０の構成を説明する。これらのサーバ（装置）は、ＩＰ網で通信可能なインタフェースと、ＣＰＵ（Central Processing Unit）と、メモリ、ＨＤＤ（Hard Disk Drive）等の記憶手段とを備えるコンピュータにより実現される。
【００４２】
網外ＡＳ６０は、入出力部６１、処理部６２および記憶部６３を備える。入出力部６１は、網内ＡＳ１０やサービス料計算装置７０（図１参照）との間でデータ（信号）の入出力を行うためのインタフェースである。処理部６２は、この網外ＡＳ６０全体の制御を司り、ＣＰＵによるプログラム実行処理により実現され、物理番号変換部６２１と、課金情報収集部６２２とを備える。
【００４３】
物理番号変換部６２１は、ＩＰ網の網内ＡＳ１０から、論理番号を含む発信信号を受信したとき、論理番号情報６３２（後記）を参照して、その論理番号に対応する物理番号を検索する。そして、その物理番号を含む制御信号を網内ＡＳ１０へ送信する。
【００４４】
課金情報収集部６２２は、網内ＡＳ１０から、端末８０間の通話が終了したことを示す終話信号を受信したとき、端末８０間の接続処理のサービス料（サービス事業者が契約者に請求するサービス料）を算出するための課金情報を、契約者情報６３１を参照して作成する。そして、作成した課金情報を、サービス料計算装置７０へ送信する。
【００４５】
記憶部６３は、契約者情報６３１と、論理番号情報６３２とを記憶する。契約者情報６３１は、端末８０ごとに、その端末８０の契約者の物理番号（０から始まる番号）およびサービス料を計算するための契約内容を示した情報である。このサービス料を計算するための契約内容とは、例えば、契約者の端末８０への接続において、１分あたりのサービス料を○○円にする、といった内容や、どの地域の端末８０からの接続について当該サービス料に基づく課金を行うかといった内容を示す。
【００４６】
論理番号情報６３２は、端末８０の論理番号ごとに、その論理番号に対応する端末８０の物理番号を示した情報である（表１参照）。この論理番号とは、例えば、端末８０それぞれに割り当てられた着信番号とは別に割り当てられた番号であり、論理番号の冒頭何桁かの数字でどのサービスを利用する端末８０かを判別することができる。例えば、論理番号が「０１２０」で始まる番号あれば、フリーダイヤル（着端末が料金を負担するサービス）と判断し、「０５７０」であれば、ナビダイヤル（発端末と着端末の両方が料金を負担するサービス）と判断できる。
【００４７】
【表１】
2011109187.tif 000003
【００４８】
網内ＡＳ１０は、入出力部１１と、処理部１２と、記憶部１３とを備える。入出力部１１は、網外ＡＳ６０や加入者サーバ２０との間でデータ（信号）の入出力を行うためのインタフェースである。処理部１２は、この網内ＡＳ１０全体の制御を司り、ＣＰＵによるプログラム実行処理により実現され、通話料情報収集部１２１と、物理番号変換部１２２と、接続処理部１２３とを備える。破線で示した通信パス切り替え部１２４の説明は、後記する。
【００４９】
通話料情報収集部１２１は、端末８０間の接続時間（通話時間）に応じて、端末８０間の通話料を示す情報を作成し、サービス料計算装置７０へ送信する。なお、通話料の計算は、記憶部１３の契約者情報１３１を参照して行う。
【００５０】
物理番号変換部１２２は、加入者サーバ２０から、論理番号を含むINVITEメッセージを受信したとき、この受信したINVITEメッセージを、網外ＡＳ６０で処理可能な電気信号に変換した物理番号の問い合わせメッセージを作成する。そして、この物理番号の問い合わせメッセージを網外ＡＳ６０へ送信する。その後、この網外ＡＳ６０から、問い合わせメッセージの応答として、この物理番号を含む信号を受信すると、この物理番号を含むINVITEメッセージを作成し、加入者サーバ２０へ送信する。なお、前記した契約者情報１３１に、所定の地域の端末８０からの発信について、所定の課金を行うことが記載されていれば、このINVITEメッセージの送信元の物理番号の市外局番等から、この所定の地域の端末８０からの発信か否かを判断する。そして、所定の地域の端末８０からの発信であると確認できたときには、論理番号の変換後のINVITEメッセージを送信する。一方、所定の地域以外の端末８０からの発信であるときには、この端末８０に接続できないことを通知するようにしてもよい。
【００５１】
接続処理部１２３は、物理番号変換部１２２により作成されたINVITEメッセージを、加入者サーバ２０へ送信した後、加入者サーバ２０から、このINVITEメッセージによる接続の終話信号を受信したとき、この終話信号を網外ＡＳ６０へ送信する。これにより、網外ＡＳ６０は、論理番号を用いた接続について、通話が終了したことを知り、その接続時間に応じたサービス料の課金情報を作成できる。
【００５２】
記憶部１３は、このＩＰ網における接続サービスを利用する契約者情報１３１を記憶する。この端末８０ごとに、その端末８０の契約者の物理番号（０から始まる番号）および通話料を計算するための契約内容を示した情報である。この通話料を計算するための契約内容とは、例えば、１分あたりの通話料を○○円にする、といった内容である。この契約者情報１３１は、通話料情報収集部１２１が通話料情報を作成するときに参照される。
【００５３】
加入者サーバ２０は、入出力部２１と、処理部２２と、記憶部２３とを備える。入出力部２１は、網内ＡＳ１０や中継サーバ３０との間でデータ（信号）の入出力を行うためのインタフェースである。処理部２２は、この加入者サーバ２０全体の制御を司り、ＣＰＵによるプログラム実行処理により実現され、通話料情報収集部２２１と、アクセス先判定部２２２と、接続処理部２２３とを備える。
【００５４】
通話料情報収集部２２１は、論理番号ではない着信番号の接続処理を行った場合（つまり、網内ＡＳ１０への物理番号の問い合わせを行わずに端末８０間の接続処理を行った場合）、その通話料を示す通話料情報を作成する。そして、その作成した通話料情報を、通話料計算装置５０へ送信する（図示省略）。一方、通話料情報収集部２２１は、接続処理部２２３が網内ＡＳ１０経由で、論理番号を含むINVITEメッセージに基づく接続を行った場合には、通話料情報の作成は行わない。つまり、システムは、端末８０から論理番号の発信を受けて接続処理を行った場合には、網内ＡＳ１０で通話料情報を作成するが、物理番号の発信を受けて接続処理を行った場合には、加入者サーバ２０で通話料情報を作成する。なお、論理番号の発信を受けて接続処理を行った場合、網内ＡＳ１０から、その旨の情報を含むINVITEメッセージが送信されるので、通話料情報収集部２２１はそのINVITEメッセージをもって、通話料情報を作成すべきか否かを判断できる。
【００５５】
アクセス先判定部２２２は、ＩＰ変換装置４０（または、他の加入者サーバ２０）から受信したINVITEメッセージに含まれる着信番号と、ｉＦＣ２３１とを参照して、このINVITEメッセージを網内ＡＳ１０へ転送すべきか否かを判断する。例えば、受信したINVITEメッセージにｉＦＣ２３１に示される番号（論理番号）が含まれていれば、網内ＡＳ１０へこのINVITEメッセージを転送する。一方、受信したINVITEメッセージにｉＦＣ２３１に示される番号が含まれていれば、このINVITEメッセージを、中継サーバ３０（または、ＩＰ変換装置４０）へ転送する。
【００５６】
接続処理部２２３は、INVITEメッセージを受信すると、このINVITEメッセージに含まれる着信番号をもとに、このINVITEメッセージを、中継サーバ３０やＩＰ変換装置４０へ送信し、端末８０間の接続処理を行う。
【００５７】
記憶部２３は、ｉＦＣ２３１を記憶する。このｉＦＣ２３１は、INVITEメッセージに含まれる着信番号のうち、網内ＡＳ１０で処理すべき着信番号（論理番号）を示した情報である。このｉＦＣ２３１は、アクセス先判定部２２２が、受信したINVITEメッセージの転送先を決定するときに参照される。
【００５８】
＜処理手順＞
次に、図１，２を参照しつつ、図３，４を用いて、システムの処理手順例を説明する。ここでは、システムがフリーダイヤルサービスを提供する場合を例に説明する。フリーダイヤルサービスは、端末８０間の通話に要した料金を、着端末の契約者に課金するサービスである。この場合、サービス料計算装置７０は、通話料計算装置５０から受信した通話料情報と、網外ＡＳ６０から受信した課金情報（サービス料情報）とに基づき、各契約者に設定された契約内容（フリーダイヤルの場合、着端末側の契約者が料金を負担する）に基づき計算される。図１の網外ＡＳ６０の論理番号情報６３２には、フリーダイヤルの契約者の端末８０の論理番号ごとに、その論理番号に対応する物理番号が記載される。また、ｉＦＣ２３１にはフリーダイヤルの端末８０の論理番号と、その論理番号のINVITEメッセージを受信したとき、このINVITEメッセージを送信すべき網内ＡＳ１０が記載される。
【００５９】
ＩＰ変換装置４０Ａが、端末８０Ａ（発端末）のオフフックを検出すると（Ｓ１）、ＤＴ（ダイヤルトーン）を出力する（Ｓ２）。そして、ＩＰ変換装置４０Ａは、論理番号（例えば、０１２０で始まる番号）のダイヤルを受け付けると（Ｓ３）、加入者サーバ２０Ａに論理番号のINVITEメッセージを送信する（Ｓ４）。
【００６０】
加入者サーバ２０Ａのアクセス先判定部２２２（図２参照）は、Ｓ４で送信されたINVITEメッセージに含まれる論理番号とｉＦＣ２３１とを参照し（Ｓ５）、アクセス先が網内ＡＳ１０であると判断し、網内ＡＳ１０にINVITEメッセージを送信する（Ｓ６）。送信されたINVITEメッセージの論理番号により、網内ＡＳ１０の接続処理部１２３は、網外ＡＳ６０にアクセスすると判断し、物理番号変換部１２２は、送信されたINVITEメッセージを、この論理番号を含む制御要求（網外ＡＳ６０への論理番号に対応する物理番号の問い合わせ）に変換する。そして、この変換した制御要求を網外ＡＳ６０へ送信する（Ｓ７）。
【００６１】
網外ＡＳ６０は、この制御要求を受信すると、物理番号変換部６２１が、論理番号情報６３２を参照して、この制御要求に含まれる論理番号を物理番号に変換して、網外ＡＳ６０への制御指示を作成し（Ｓ８：ＡＮ／ＤＮ変換）、この制御指示に着信課金（フリーダイヤル）であることの情報を挿入して網内ＡＳ１０へ送信する（Ｓ９）。
【００６２】
網内ＡＳ１０の物理番号変換部１２２は、網外ＡＳ６０から制御指示を受信すると、この制御指示を、この制御指示に含まれる物理番号（ＤＮ）のINVITEメッセージに変換し、加入者サーバ２０Ａへ送信する（Ｓ１０）。なお、このINVITEメッセージに着信課金である旨の情報が含まれているので、加入者サーバ２０Ａは、以降、このINVITEメッセージに基づく端末８０間の接続について、通話料をカウントしないようにする。
【００６３】
加入者サーバ２０Ａは、ＩＰ網内へ、INVITEメッセージを送信すると、このINVITEメッセージに含まれる物理番号でルーチングされ、中継サーバ３０に到達する（Ｓ１１）。そして、このINVITEメッセージは、中継サーバ３０→加入者サーバ２０Ｂ→ＩＰ変換装置４０Ｂというように転送される（Ｓ１２、Ｓ１３）。そして、このINVITEメッセージを受信したＩＰ変換装置４０Ｂは、このINVITEメッセージに含まれる物理番号に対応する端末８０Ｂ（着端末）へ呼び出し信号を送信する（Ｓ１４）。その後、ＩＰ変換装置４０Ｂが加入者サーバ２０Ａへ１８０信号（呼び出し中を伝える信号）を送信すると、この信号は、ＩＰ変換装置４０Ａにまで転送され（Ｓ１５、Ｓ１６、Ｓ１７、Ｓ１８、Ｓ１９、Ｓ２０）。ＩＰ変換装置４０Ａは、端末８０ＡにＲＢＴ（呼び出し中を伝える音声）を送信する（Ｓ２１）。
【００６４】
その後、ＩＰ変換装置４０Ｂは、端末８０Ｂの応答（オフフック）を検出すると（Ｓ２２）、この端末８０Ｂの応答を示す２００信号（２００（ＳＤＰ Ｂ））をＩＰ変換装置４０Ｂへ送信する（Ｓ２３）。この２００信号（２００（ＳＤＰ Ｂ））は、加入者サーバ２０Ｂ→中継サーバ３０→加入者サーバ２０Ａ→網内ＡＳ１０と転送される（Ｓ２４、Ｓ２５、Ｓ２６）。そして、この２００信号（２００（ＳＤＰ Ｂ））を受信した網内ＡＳ１０の接続処理部１２３は、網外ＡＳ６０に端末８０Ａ，８０Ｂ間の接続通知を送信する（Ｓ２７）。これにより、網外ＡＳ６０は、端末８０Ａ，８０Ｂ間の接続に関するサービス料の課金のカウントを始めることになる。その後、網内ＡＳ１０は、着信課金である旨の情報を挿入した２００信号（２００（ＳＤＰ Ｂ））を加入者サーバ２０Ａへ送信し（Ｓ２８）、この２００信号（２００（ＳＤＰ Ｂ））を受信した加入者サーバ２０Ａは、通常の発信者課金を行わないようにする。また、加入者サーバ２０Ａは、この２００信号（２００（ＳＤＰ Ｂ））をＩＰ変換装置４０Ａへ送信する（Ｓ２９）。これにより端末８０Ａ，８０Ｂは通話可能な状態になる。
【００６５】
図４の説明に移る。通話開始後、ＩＰ変換装置４０Ａが、端末８０Ａのオンフックを検出すると（Ｓ３０）、加入者サーバ２０ＡにＢＹＥを送信し（Ｓ３１）、このＢＹＥは、着端末に接続するＩＰ変換装置４０Ｂにまで転送され（Ｓ３２、Ｓ３３、Ｓ３４、Ｓ３５、Ｓ３６）、このＢＹＥを受信したＩＰ変換装置４０Ｂは、端末８０Ｂに、ＢＴ（通話が切断されたことを伝える信号）を送信（Ｓ３７）。その後、このＩＰ変換装置４０Ｂは、加入者サーバ２０Ｂに、このＢＹＥを受信したことを伝える２００信号を送信すると（Ｓ３８）、このＢＹＥは、加入者サーバ２０Ｂ→中継サーバ３０→加入者サーバ２０Ａというように転送される（Ｓ３９、Ｓ４０）。そして、加入者サーバ２０Ａが、網内ＡＳ１０へ、この２００信号を送信すると（Ｓ４１）、網内ＡＳ１０は、網外ＡＳ６０に、通話の終了通知を送信する（Ｓ４２）。つまり、端末８０間の通話が終了したことを網外ＡＳ６０に通知する。これにより、網内ＡＳ１０は、網外ＡＳ６０に対し、端末８０Ａ，８０Ｂの通話が終了したことを確認できる。また、網内ＡＳ１０から送信された２００信号は、加入者サーバ２０Ａ→ＩＰ変換装置４０Ａというように転送される（Ｓ４３、Ｓ４４）。
【００６６】
そして、網内ＡＳ１０の通話料情報収集部１２１は契約者情報１３１に基づき、通話料情報を作成し（Ｓ４５）、また、網外ＡＳ６０の課金情報収集部６２２は、契約者情報６３１に基づき、課金情報を作成する（Ｓ４６）。そして、網内ＡＳ１０は、作成した通話料情報を通話料計算装置５０へ送信し、通話料計算装置５０は、この課金情報をサービス料計算装置７０へ送信する。また、網外ＡＳ６０は、作成した課金情報をサービス料計算装置７０へ送信し、その後、サービス料計算装置７０は、これらの情報をもとに、着端末（例えば、端末８０Ｂ）の契約者に対しサービス料の請求を行う。例えば、端末８０Ｂの契約者に対し、端末８０Ａとの通話料を含めたサービス料の請求を行う。なお、網内ＡＳ１０にかわり、加入者サーバ２０が通話料情報を作成するようにし、この通話料情報を、通話料計算装置５０へ送信してもよい。
【００６７】
以上説明したシステムによれば、サービスの内容（物理番号に変換すべき論理番号等）や、サービス料の計算方式等をサービス事業者網の網外ＡＳ６０やサービス料計算装置７０に設定することで、この論理番号の着信を受け付けたとき、この物理番号の着信番号を物理番号に変換し、所定の料金体系に基づく課金を行うことができる。つまり、システムの提供するサービス内容やサービス料の計算方式等をサービス事業者の所望するものに設定することができる。
【００６８】
＜第２の実施の形態＞
次に、図１，２を参照しつつ、図５，６を用いて、第２の実施の形態のシステムを説明する。ここでは、システムがナビダイヤルサービスを提供する場合を例に説明する。ナビダイヤルは、所定の論理番号（例えば、０５７０で始まる番号）の端末８０への接続について、端末８０に、（通常の通話料ではない）所定の料金を請求するサービスである。つまり、サービス料計算装置７０は、端末８０間の接続について、サービス事業者が設定した料金を、発端末および着端末それぞれに請求する。ここで、契約者情報は、接続を行う着端末の物理番号と、着端末への通話料を、発端末の契約者および着端末の契約者に課金する旨の情報とを示した情報である。また、サービス事業者は、端末８０間の接続にあたり、事前に発端末にナビダイヤルに基づく、通話料等の案内を行う必要がある。そこで、システムのサービス事業者網は、網外ＭＳ（メッセージサーバ）１１０を備えることを特徴とする。この網外ＭＳ１１０は、発端末（発信元の端末８０）と、所定の料金による接続を行う着端末（着信先の端末８０）とを接続する前に、その発端末へ、この料金を示す事前料金ガイダンスを送信するサーバである。また、網内ＡＳ１０は、通信パス切り替え部１２４を備える（図２参照）。この通信パス切り替え部１２４は、端末８０同士の通信パスを、端末８０と網外ＭＳ１１０との通信パスに切り替えたり、また、端末８０同士の通信パスに戻したりする。なお、以下の説明において、前記した実施の形態と同様の構成要素は、同じ符号を付して説明を省略する。
【００６９】
＜処理手順＞
次に、このようなシステムの処理手順例を説明する。ここでは、ナビダイヤル（０５７０で始まる番号）により端末８０Ａ，８０Ｂ間を接続する場合を例に説明する。
【００７０】
ＩＰ変換装置４０Ａが、端末８０Ａのオフフックを検出すると（Ｓ５１）、この端末８０Ａへダイヤルトーンを出力する。そして、ＩＰ変換装置４０Ａは、論理番号（例えば、０５７０で始まる番号。０５７０Ｄ−Ｊ）のダイヤルを受け付けると（Ｓ５２）、ＩＰ変換装置４０Ａは、加入者サーバ２０Ａに、この論理番号のINVITEメッセージ（0570D-J)を送信する（Ｓ５３）。
【００７１】
加入者サーバ２０Ａのアクセス先判定部２２２は、受信したINVITEメッセージに含まれる論理番号からｉＦＣ２３１を参照し、アクセス先が網内ＡＳ１０であると判断し（Ｓ５４）、網内ＡＳ１０にINVITEメッセージ（0570D-J）を送信する（Ｓ５５）。網内ＡＳ１０の接続処理部１２３は、このINVITEメッセージの論理番号により網外ＡＳ６０にアクセスすると判断し、物理番号変換部１２２は、このINVITEメッセージを、この論理番号を含む制御要求（この論理番号に対応する物理番号の問い合わせ）に変換する。そして、この変換した制御要求を網外ＡＳ６０へ送信する（Ｓ５６）。
【００７２】
網外ＡＳ６０は、この制御要求を受信すると、物理番号変換部６２１により、論理番号情報６３２を参照して、この制御要求に含まれる論理番号を物理番号に変換し（Ｓ５７：ＡＮ／ＤＮ変換）、この変換した物理番号（ＤＮ）を含む網外ＡＳ６０への制御指示を作成する。そして、網外ＡＳ６０は、この作成した制御指示に事前料金通知ガイダンスの送出指示を含めて網内ＡＳ１０へ送信する（Ｓ５８）。
【００７３】
網内ＡＳ１０の物理番号変換部１２２は、網外ＡＳ６０から制御指示を受信すると、この制御指示に含まれる物理番号（ＤＮ）のINVITEメッセージに変換し、網外ＭＳ１１０へ送信する（Ｓ５９）。これを受けて網外ＭＳ１１０は、事前料金通知ガイダンスの送信を準備し、この信号が網外ＭＳ１１０からの信号であることを示す２００信号（ＳＤＰ ＭＳ）を、網内ＡＳ１０へ送信する（Ｓ６０）。そして、網内ＡＳ１０は、この網外ＭＳ１１０からの信号であることを示す１８３信号（ＳＤＰ ＭＳ）を加入者サーバ２０Ａへ送信し（Ｓ６１）、加入者サーバ２０Ａは、この１８３信号（ＳＤＰ ＭＳ）をＩＰ変換装置４０Ａへ送信する（Ｓ６２）。このようにすることで、網外ＭＳ１１０への通信パスの切り替えの準備ができると、網内ＡＳ１０の通信パス切り替え部１２４は、網外ＭＳ１１０側に通信パスを切り替え、端末８０に事前料金通知ガイダンスが送信される（Ｓ６３）。
【００７４】
網外ＭＳ１１０が、事前料金通知ガイダンスの送信終了により網内ＡＳ１０にＢＹＥを送信すると（Ｓ６４）、網内ＡＳ１０の接続処理部１２３は、加入者サーバ２０Ａに、網外ＭＳ１１０とのパス（通信パス）を切断することを指示するUPDATE（inactive）を送信する（Ｓ６５）。そして、加入者サーバ２０Ａは、このUPDATE（inactive）をＩＰ変換装置４０Ａへ送信する（Ｓ６６）。これにより、ガイダンス送信に用いた通信パスが切断される。この後、網内ＡＳ１０は、通信パスの切断を伝える２００信号を網外ＭＳ１１０へ送信する（Ｓ６７）。また、網内ＡＳ１０は、着端末の物理番号（ＤＮ）のINVITEメッセージを、加入者サーバ２０Ａへ送信する（Ｓ６８）。そして、加入者サーバ２０Ａは、受信したINVITEメッセージをＩＰ網へ送信し、このINVITEメッセージは、ＩＰ網内で、このINVITEメッセージに含まれる物理番号でルーチングされ、中継サーバ３０に到達する（Ｓ６９）。このINVITEメッセージは、加入者サーバ２０Ｂ→ＩＰ変換装置４０Ｂと転送される（Ｓ７０、Ｓ７１）。そして、ＩＰ変換装置４０Ｂが端末８０Ｂに呼び出し信号を送信する（Ｓ７２）。
【００７５】
ＩＰ変換装置４０Ｂが加入者サーバ２０Ｂに１８０信号を送信すると（Ｓ７３）、この１８０信号は、中継サーバ３０→加入者サーバ２０Ａ→網内ＡＳ１０と転送され（Ｓ７４、Ｓ７５、Ｓ７６）、網内ＡＳ１０は網外ＭＳ１１０にＲＢＴ送出指示を含む物理番号のINVITEメッセージを送信する（Ｓ７７）。このINVITEメッセージを受信した網外ＭＳ１１０は、網外ＭＳ１１０のパス（通信パス）を作るため、網内ＡＳ１０に、網外ＭＳ１１０からの信号であることを示す２００信号（ＳＤＰ ＭＳ）を送信し（Ｓ７８）、網内ＡＳ１０は、UPDATE（ＳＤＰ ＭＳ）を、加入者サーバ２０Ａへ送信する（Ｓ７９）。加入者サーバ２０Ａは、このUPDATE（ＳＤＰ ＭＳ）を、ＩＰ変換装置４０Ａへ送信する（Ｓ８０）。そして、網外ＭＳ１１０は、ここで作成された通信パスにより、端末８０ＡにＲＢＴを送信する（Ｓ８１）。
【００７６】
この後、ＩＰ変換装置４０Ｂが、端末８０Ｂの応答（オフフック）を検出した後（図６のＳ９１）の処理手順（Ｓ９２〜Ｓ９８）は、第１の実施の形態のＳ２３〜Ｓ２９と同様の処理により、２００信号（ＳＤＰ Ｂ）はＩＰ変換装置４０Ａに到達する。これにより、通信パスを、網外ＭＳ１１０の通信パスから着信者（着端末）の通信パスに切り替える準備が整う。網内ＡＳ１０は、Ｓ９７の後、網外ＭＳ１１０へＢＹＥを送信し（Ｓ９９）、網外ＭＳ１１０はそれまで送信していたＲＢＴを止め、網内ＡＳ１０に２００信号を送信する（Ｓ１００）。そして、この２００信号は、網内ＡＳ１０→加入者サーバ２０Ａ→ＩＰ変換装置４０Ａと転送され、網内ＡＳ１０の通信パス切り替え部１２４は、発端末（端末８０Ａ）の通信パスを、網外ＭＳ１１０との通信パスから着端末（端末８０Ｂ）との通信パス切り替え、端末８０Ａ，８０Ｂ間で通話ができる状態になる。
【００７７】
この後、ＩＰ変換装置４０Ａが端末８０Ａのオンフックを検出すると（Ｓ１１０）、システムは、Ｓ１１１〜Ｓ１２７の処理を実行する。このＳ１１１〜Ｓ１２７の処理は、第１の実施の形態のＳ３０〜Ｓ４６と同様なので説明を省略する。なお、サービス料計算装置７０は、ナビダイヤルの契約内容に基づき、発端末（端末８０Ａ）および着端末（端末８０Ｂ）それぞれへ料金の請求を行う。例えば、サービス料計算装置７０は、発端末（端末８０Ａ）へは、ガイダンスで事前に通知しておいた１分あたりの料金に基づく請求金額の課金情報を作成し、送信する。また、着端末（端末８０Ｂ）へは、ナビダイヤル提供に要した金額の課金情報を作成し、送信する。
【００７８】
なお、前記したシステムにおいて、料金の請求を、ＩＰ網の通話料計算装置５０で行うようにしてももちろんよい。この場合、図２に示すように、網内ＡＳ１０の記憶部１３は、論理番号情報１３２を記憶する。そして、網外ＡＳ６０の物理番号変換部６２１は、この論理番号情報１３２を参照して、INVITEメッセージで受信した論理番号を、物理番号に変換して、加入者サーバ２０へ送信する。この場合の処理手順は、図７に示すように、加入者サーバ２０（２０Ａ）が、論理番号（例えば、０１２０で始まる番号）のINVITEメッセージを網内ＡＳ１０へ送信し、この網内ＡＳ１０において、ＡＮ／ＤＮ変換処理を行い、その結果を加入者サーバ２０（２０Ａ）へ返せばよい。
【００７９】
また、前記したシステムが、所定の時間帯のみに、端末８０Ａ，８０Ｂ間の接続処理を行うようにしてもよい。この場合、網外ＡＳ６０の契約者情報６３１に、接続処理を行う時間帯を記載しておく。そして、その時間帯以外に、網外ＭＳ１１０が所定の論理番号の端末８０への着信（INVITEメッセージ）を受信したときには、論理番号の変換や、網内ＡＳ１０経由での端末８０間の接続処理を行わない。また、サービス事業者網が、網外ＭＳ１１０を備える場合、網内ＡＳ１０は、契約者情報１３１に示される時間帯以外に発信（INVITEメッセージ）を受信したときには、網外ＭＳ１１０経由で、この発信の端末８０へ時間外であることを通知する音声ガイダンスを送信するようにしてもよい。なお、この時間外であることを通知する音声ガイダンスは、ＩＰ網内に網内ＭＳ１２０があれば、この網内ＭＳ１２０で行うようにしてもよい。
【００８０】
さらに、システムは、着端末と同じ都道府県内の発端末との接続処理のみについて、着信番号の論理番号から物理番号への変換および当該サービス料金による接続（いわゆるフリーアクセスサービス）を行うようにしてもよい。例えば、この場合、網外ＡＳ６０の契約者情報６３１に、その旨の情報を記載しておけばよい。このようにすることで、システムは、いわゆるフリーアクセスサービスを提供することができる。
【符号の説明】
【００８１】
１，２，９０（９０Ａ，９０Ｂ）  加入者交換機
１０    網外ＡＳ（アプリケーションサーバ）
１１，２１，６１    入出力部
１２，２２，６２    処理部
１３，２３，６３    記憶部
２０    加入者サーバ
３０    中継サーバ
４０    ＩＰ変換装置
５０    通話料計算装置
６０    網外ＡＳ
７０    サービス料計算装置
８０（８０Ａ，８０Ｂ）  端末
８１    ＮＧＮ端末
１２１  通話料情報収集部
１２２  物理番号変換部
１２３  接続処理部
１２４  通信パス切り替え部
１３１  契約者情報
１３２  論理番号情報
２２１  通話料情報収集部
２２２  アクセス先判定部
２２３  接続処理部
２３１  ｉＦＣ
６２１  物理番号変換部
６２２  課金情報収集部
６３１  契約者情報
６３２  論理番号情報
【図１】
2011109187.tif 000004
【図２】
2011109187.tif 000005
【図３】
2011109187.tif 000006
【図４】
2011109187.tif 000007
【図５】
2011109187.tif 000008
【図６】
2011109187.tif 000009
【図７】
2011109187.tif 000010
【図８】
2011109187.tif 000011